(57)【特許請求の範囲】
【請求項１】
屋根上に溝形フレームを架設し、該溝形フレームの溝部と押さえカバーで遮熱シートを固定して遮熱シートを屋根上に張設してなる遮熱シートの取付構造において、
上記溝形フレームは上記溝部の両側に固定部を備える一方、上記押さえカバーは上記溝形フレームの一方の固定部に対して係止する係止部と、上記溝形フレームの他方の固定部に対してボルト止めで固定するための固定部とを備えていることを特徴とする遮熱シートの取付構造。
【請求項２】
請求項１において、
上記押さえカバーの下面には、上記遮熱シートを押圧する押さえ片が形成されている遮熱シートの取付構造。
【請求項３】
請求項２において、
上記ボルトのボルト頭は、上記溝形フレームの固定部の下面側に配されるようになっており、
上記溝形フレームの固定部の下面には、ボルト回り止め突片が形成されている遮熱シートの取付構造。
【発明の詳細な説明】
【技術分野】
【０００１】
本発明は、屋根上に架設した溝形フレームの溝部と押さえカバーで遮熱シートを固定して遮熱シートを屋根上に張設してなる遮熱シートの取付構造に関する。
【背景技術】
【０００２】
従来、屋根上に遮熱シートを配設するために、固定具を介して溝形フレームを屋根上に架設し、その溝形フレームで遮熱シートを固定、張設するようにした遮熱シートの取付構造が提案されている（特許文献１参照）。
【０００３】
この種の遮熱シートの取付構造は例えば、遮熱シートを溝形フレームの溝部の内底面に別部材で押さえつけて固定した構造となっており、溝部内が外観露出しないように、溝部の開口を覆うように押さえカバーを溝形フレームに対しビス止め（ナットを使用しないネジ止め）して取り付けることが通例である。
【先行技術文献】
【特許文献】
【０００４】
【特許文献１】特開２０１０−１１２００７号公報
【発明の概要】
【発明が解決しようとする課題】
【０００５】
しかしながら、押さえカバーをビス止めすると、溝形フレーム、押さえカバーの材料である金属や樹脂の削り粉である切粉が飛散し溝形フレームの近傍に残留するため、それを取り除くための作業が発生していた。
【０００６】
また、押さえカバーの中央部と、溝形フレームの溝部の底部とをビス止めするものでは、切粉は開口を塞いだ溝内空間に発生するため、それを容易には取り除くことはできず、そのまま放置すれば、金属素材の場合には雨水等によって切粉が錆びて、周辺の屋根面にも錆が及ぶおそれがあった。
【０００７】
本発明は、このような事情を考慮して提案されたもので、その目的は、屋根上への遮熱シートの取付作業を、切粉の発生するビス止めによらず簡易、迅速に行うことができる遮熱シートの取付構造を提供することにある。
【課題を解決するための手段】
【０００８】
上記目的を達成するために、請求項１に記載の遮熱シートの取付構造は、屋根上に溝形フレームを架設し、該溝形フレームの溝部と押さえカバーで遮熱シートを固定して遮熱シートを屋根上に張設してなる遮熱シートの取付構造において、溝形フレームは溝部の両側に固定部を備える一方、押さえカバーは溝形フレームの一方の固定部に対して係止する係止部と、溝形フレームの他方の固定部に対してボルト止めで固定するための固定部とを備えていることを特徴とする。
【０００９】
請求項２に記載の遮熱シートの取付構造は、押さえカバーの下面に遮熱シートを押圧する押さえ片が形成されていることを特徴とする。
【００１０】
請求項３に記載の遮熱シートの取付構造は、ボルトのボルト頭が溝形フレームの固定部の下面側に配されるようになっており、溝形フレームの固定部の下面にボルト回り止め突片が形成されていることを特徴とする。
【発明の効果】
【００１１】
請求項１に記載の遮熱シートの取付構造によれば、溝形フレームと、押さえカバーとがボルト、ナットおよび押さえカバーに設けた係止部で固定される構造であるため、ビス止めによる切粉が発生するおそれはなく、切粉を取り除く作業が省け、遮熱シートの取付作業の迅速化が図れる。
【００１２】
請求項２に記載の遮熱シートの取付構造によれば、押さえカバーの下面に遮熱シートを押圧する押さえ片が形成されているので、遮熱シートの張力を調整でき、遮熱シートをたるみなく溝形フレームに固定することができる。
【００１３】
請求項３に記載の遮熱シートの取付構造によれば、溝形フレームの固定部の下面にボルト回り止め突片が形成されているので、ボルト止め作業を簡単に行える。
【図面の簡単な説明】
【００１４】
【図１】本発明の第１実施形態に係る遮熱シートの取付構造の分解斜視図である。
【図２】（ａ）、（ｂ）は、第１実施形態における遮熱シートの取付手順を示した正面図である。
【図３】第１実施形態における遮熱シートの取付状態を示した平面図である。
【図４】本発明の第２実施形態に係る遮熱シートの取付構造の分解斜視図である。
【図５】（ａ）、（ｂ）は、第２実施形態における遮熱シートの取付手順を示した正面図である。
【図６】第２実施形態における遮熱シートの取付状態を示した平面図である。
【発明を実施するための形態】
【００１５】
以下に、本発明の実施の形態について、添付図面を参照しながら説明する。
【００１６】
図１は、本発明の第１実施形態に係る遮熱シートの取付構造の分解斜視図である。図２（ａ）、（ｂ）は遮熱シートの取付手順を示した正面図である。図３は、遮熱シートの取付状態を示した平面図である。
【００１７】
本実施形態における遮熱シート１０の取付対象は、図２に示しているように波形屋根１であり、波形屋根１の屋根材の端部を連結した連結山部１ａに固定具３を固定したうえで、その上に溝形フレーム２０を架設して、さらにその上に遮熱シート１０を取り付けるようにしたものである。なお、取付対象の屋根は波形屋根１に限定されず、他の屋根であってもよい。
【００１８】
固定具３は、その構造の詳細を図示していないが、２つの挟着片３ａを組み合わせてなり、連結山部１ａの上方に突出した連結用のボルト体２の軸部に２つの挟着片３ａを挟着して屋根に固定される構造となっている。また、溝形フレーム２０は、固定具３に対してビス止めにて固定される構造となっている。なお、図２中の３ｂは２つの挟着片３ａを緊締してボルト体２の軸部に挟着する緊締ボルトを示しており、１ｂはボルト体２で固定するための屋根材支持金具（タイトフレーム）である。固定具３についても、他の構造の固定具を用いてもよい。また、屋根材がハゼ結合されている屋根の場合、ハゼ部に対して固定可能な固定具が用いられるが、本発明はそのような固定具を用いたものについても適用可能である。ようするに、固定具３については本明細書では一例を示したにすぎず、溝形フレーム２０の屋根への固定手法については手段を問わない。
【００１９】
遮熱シート１０は、柔軟性、伸縮性を有し、太陽熱を反射して遮断・遮熱する合成樹脂シートで構成されており、例えば本実施形態に示すように、太陽熱等を遮断・遮熱する銀色等に着色した樹脂糸材を縦横に編んで形成した織物シートを好適に使用できる。
【００２０】
この遮熱シート１０は、屋根上に固定した溝形フレーム２０に固定され、溝形フレーム２０間に張設されるようになっている。本実施形態では、溝形フレーム２０に直交する方向に帯状に長い遮熱シート１０が用いられている。なお、本実施形態で用いる遮熱シート１０は、図３に示すように、幅方向の両端を除く部分（クロスハッチングで示した部位）は縦横の樹脂糸材で編み込まれて目が詰まっているが、両端は樹脂糸材（横糸１０ａ）を縦糸１０ｂで固定しないようにしている（図３の１点鎖線で囲んだ部分拡大平面図参照）。つまり、この両端部位はボルト４１の軸部や、後述する押さえカバー３０の係止部３５を挿通させることができる挿通部１１を構成している。
【００２１】
溝形フレーム２０は、金属または硬質の合成樹脂よりなり、凹条に形成された溝部２１と、溝部２１の上端から両側に延びたフランジ片とを備えている。このフランジ片は、遮熱シート１０を挟んだ状態で溝形フレーム２０の上に配する押さえカバー３０を固定するための固定部２２、２２を構成している。
【００２２】
この固定部２２、２２の一方には、取り付ける遮熱シート１０の幅寸法に対応した、押さえカバー３０と連結するためのボルト用のボルト挿通孔２３が長手方向に連続して形成されている。図１に示すように、ボルト止めは遮熱シート１０の幅方向の両端で固定できるようになっている。
【００２３】
また、使用するボルト４１はボルト頭４１ａを下にして押さえカバー３０の上方に配したナット４２と螺合するようにしており、固定部２２の下面には、ボルト止めの際にボルト頭４１ａの回転を阻止できるようにボルト回り止め突片２４が形成されている。
【００２４】
また、他方の固定部２２（図１の手前側、図２の左側）には、この固定部２２が押さえカバー３０とボルト止めで固定されず、後述するように係止によって固定される構造となっているため、ボルト挿通孔２３も、ボルト回り止め突片２４も形成されていない。
【００２５】
一方、押さえカバー３０は、金属または硬質の合成樹脂よりなり、長さ寸法は遮熱シート１０の幅寸法とほぼ同一となっており、幅寸法は溝形フレーム２０の幅寸法とほぼ同一となっている。
【００２６】
押さえカバー３０の幅方向の一端には、溝形フレーム２０の固定部２２に対応した固定部３１が形成され、他端には、溝形フレーム２０の他方の固定部２２に係止する係止部３５を備えた固定片３１Ａが形成されている。この係止部３５は、溝形フレーム２０の固定部２２に引っ掛けて係止する構造となっており、固定片３１Ａの長手方向の両端で引っ掛けられるように両端に設けた引っ掛け片で構成されている。また、押さえカバー３０の固定部３１の長手方向の両端には、溝形フレーム２０の固定部２２のボルト挿通孔２３に対応したボルト挿通孔３２が形成されている。
【００２７】
また、押さえカバー３０の幅方向の中央下面には、下方に突出する１組の突出片が形成されており、固定部３１の先端と、固定片３１Ａの係止部３５が形成されていない先端部位には下方を向く折曲片が形成されている。これらの突出片、折曲片は溝形フレーム２０の上に配した遮熱シート１０を押さえる押さえ片３３、３４を構成しており、突出片はさらに溝形フレーム２０の溝部２１に対する嵌合片を構成している。
【００２８】
遮熱シート１０は溝形フレーム２０の上面に溝部２１を覆うように載せ置かれ、その上から押さえカバー３０を被せ、押さえ片３３、３４で遮熱シート１０を押さえて溝部２１の開口より溝部２１内に入り込んだ押さえ片３３（突出片）が溝部２１に嵌合することで遮熱シート１０は固定される。さらに、溝形フレーム２０と押さえカバー３０とを、固定部３１側ではボルト４１、ナット４２で螺合し、固定片３１Ａ側は係止部３５で引っ掛けることで、溝形フレーム２０、遮熱シート１０、押さえカバー３０の３部材は相互に結合、固定される。ボルト４１はボルト回り止め突片２４で回転が阻止されるから、上方のナット４２を回して固定すればよい。
【００２９】
作業手順としては、図２（ａ）に示すように、押さえカバー３０の係止部３５で溝形フレーム２０の固定部２２を引っ掛けてから、他方の固定部２２、３１同士をボルト止めすれば、たやすく作業が行える。
【００３０】
隣接する溝形フレーム（不図示。図２に示したものの左右側に配された溝形フレーム）についても、張力を調整しながら、同様の手順で遮熱シート１０を順次固定していけば、遮熱シート１０を屋根上に張設することができる。
【００３１】
図３は、このように順次取り付けた遮熱シート１０の取付状態の平面図を示しており、この図に示すように、係止部３５は遮熱シート１０の挿通部１１で溝形フレーム２０の固定部２２に係止し、ボルト４１、ナット４２も同様に、挿通部１１でボルト４１の軸が通るように取り付けられる。
【００３２】
以上のように、溝形フレーム２０を屋根上に取り付けた状態で押さえカバー３０を被せ押さえるだけで、遮熱シート１０を固定状態に張設することができる。特に、押さえ片３３、３４のうち下面中央に形成した押さえ片３３（突出片）は溝形フレーム２０の溝部２１と嵌合（圧嵌）できるようになっているので、遮熱シート１０を弛むことなく確実に、かつ簡単・迅速に取り付けることができる。
【００３３】
また、押さえカバー３０の幅方向の両端および中央に押さえ片３３、３４が形成されているので、遮熱シート１０の張力を調整でき、遮熱シート１０をたるみなく溝形フレーム２０に固定することができる。なお、押さえカバー３０は、両端の押さえ片３３を設けずに、嵌合片を兼ねた押さえ片３４だけを備えた構成であってもよい。
【００３４】
さらに、溝形フレーム２０と押さえカバー３０とは、ボルト４１、ナット４２および係止部３５により固定される構成であるため、ビス止めによる削り粉である切粉が発生することはなく、当然に切粉の除去作業の必要はなく、取付作業の迅速化が図れる。また、素材が金属の場合であっても切粉を原因とする錆の発生はない。
【００３５】
また、押さえカバー３０の係止部３５による固定は、係止部３５を溝形フレーム２０に引っ掛けて係止する構造となっているため、ワンタッチで係止作業を行うことができ、作業手間を省くことができる。特に本実施形態の構造は、幅方向の一方側で係止、他方側でボルト止めする構造であるため、作業はきわめてしやすい。
【００３６】
さらに、係止部３５の係止とボルト止めとによる固定であるため、溝形フレーム２０と押さえカバー３０とを頑丈に結合できる。
【００３７】
ついで、図４〜図６を参照しながら、本発明の第２実施形態に係る遮熱シートの取付構造について説明する。
【００３８】
図４は、本発明の第２実施形態に係る遮熱シートの取付構造の分解斜視図である。図５（ａ）、（ｂ）は遮熱シートの取付手順を示した正面図である。図６は、遮熱シートの取付状態を示した平面図である。第１実施形態と同一の構成については、同一の符号を付してその説明を省略する。
【００３９】
本実施形態は、係止部３５による係止とボルト止めとにより、溝形フレーム２０と、押さえカバー３０とを固定する点では第１実施形態と同様であるが、係止部３５を設けた位置が第１実施形態のものとは異なっている。
【００４０】
すなわち、押さえカバー３０は、一方の対角線上の両角部に係止部３５が形成され、他方の対角線上の両角部近傍にボルト挿通孔３２（固定部３１）が形成されており、係止部３５による固定と、ボルト４１、ナット４２による固定とを千鳥状にできるようになっている。
【００４１】
一方、溝形フレーム２０については、押さえカバー３０の係止部３５とボルト挿通孔３２との位置が入れ替わった形状のものでも使用できるように、固定部２２の係止部３５に対応した位置にもボルト挿通孔２３が開設されている。
【００４２】
このように、押さえカバー３０の幅方向の両端に係止部３５が形成されているため、第１実施形態のものより作業がやや面倒となるが、係止部３５の位置が対角線上に離れているため、一方の係止部３５で溝形フレーム２０の対応する固定部２２を引っ掛けてから、他方の係止部３５を引っ掛けられるようにずらして係止作業を行うことができ、押さえカバー３０の取付作業を無理なく行える。
【００４３】
この実施形態の構造によれば、いったん２つの係止部３５、３５を溝形フレーム２０の固定部２２、２２に引っ掛けてしまえば仮固定状態にできるので、その後のボルト止め作業をしやすくできる。
【００４４】
なお、切粉が発生するおそれがないこと、押さえ片による効果、およびボルト回り止め突片による効果については第１実施形態のものと同様であるため、詳細な説明は省略する。
【００４５】
以上の２つの実施形態では、遮熱シート１０の溝形フレーム２０の溝部２１への固定を押さえカバー３０の押さえ片３３、３４で行うようにしているが、他の固定構造を採用してもよい。溝部２１内で内底面に添わせるように圧嵌して固定できるような別部材を、遮熱シート１０を挟んだ状態に嵌め入れて固定するようにしてもよい。例えば、溝形フレーム２０と断面が同形状の弾性部材を用いて、この弾性部材と溝形フレーム２０との間に遮熱シート１０を挟み込んで固定してもよい。
【００４６】
また、上記２つの実施形態で示した押さえカバー３０の押さえ片３３（突出片、嵌合片）は、中央部に空間を介して１組形成されているが、空間を設けずに一体の突出片としてもよい。例えば、この突出片のみを弾性体とし、２色成形にて形成してもよい。
【００４７】
また、上記実施形態では挿通部１１が両端にある遮熱シート１０を用いた例を示したが、挿通部１１を幅方向の中央に設けた遮熱シートを使用してもよく、そのような遮熱シートに対応させて、その中央部位を係止部により係止するか、ボルト止めできるようにしてもよい。
【符号の説明】
【００４８】
１０      遮熱シート
１１      挿通部
２０      溝形フレーム
２１      溝部
２１ａ      底部
２２      固定部
２３      ボルト挿通孔
２４      ボルト回り止め突片
３０      押さえカバー
３１      固定部
３１Ａ      固定片
３２      ボルト挿通孔
３３      押さえ片（突出片、嵌合片）
３４      押さえ片（折曲片）
３５      係止部
４１      ボルト
４１ａ      ボルト頭
４２      ナット
１      波形屋根
１ａ      連結山部
１ｂ      屋根材支持金具
２      ボルト体
３      固定具
【図１】
0005462129.tif 000002
【図２】
0005462129.tif 000003
【図３】
0005462129.tif 000004
【図４】
0005462129.tif 000005
【図５】
0005462129.tif 000006
【図６】
0005462129.tif 000007